【手続補正書】
【提出日】平成18年7月4日(2006.7.4)
【手続補正１】
【補正対象書類名】明細書
【補正対象項目名】発明の名称
【補正方法】変更
【補正の内容】
【発明の名称】情報処理装置およびその方法
【手続補正２】
【補正対象書類名】明細書
【補正対象項目名】特許請求の範囲
【補正方法】変更
【補正の内容】
【特許請求の範囲】
【請求項１】
入力されるディジタルコンテンツに埋め込まれた情報を抽出する第一の抽出手段と、
前記第一の抽出手段の抽出結果に基づき前記ディジタルコンテンツの出力を制御し、前記抽出結果が埋め込まれた情報が抽出されなかったことを示す場合は前記ディジタルコンテンツを出力しない第一の制御手段と、
前記第一の制御手段の制御によって出力されるディジタルコンテンツを処理する処理手段と、
前記処理手段によって処理されたディジタルコンテンツに埋め込まれた情報を抽出する第二の抽出手段と、
前記第二の抽出手段の抽出結果に基づき前記処理手段によって処理されたディジタルコンテンツの出力を制御し、前記第二の抽出手段の抽出結果が埋め込まれた情報が抽出されなかったことを示す場合は前記処理後のディジタルコンテンツを出力しない第二の制御手段とを有することを特徴とする情報処理装置。
【請求項２】
入力されるディジタルコンテンツに埋め込まれた情報を抽出し、
前記抽出の結果が埋め込まれた情報が抽出されなかったことを示す場合は前記ディジタルコンテンツを処理しないように、前記抽出の結果に基づき前記ディジタルコンテンツの処理を制御し、
前記処理されたディジタルコンテンツに埋め込まれた情報を抽出し、
前記処理後のディジタルコンテンツに対する抽出の結果が埋め込まれた情報が抽出されなかったことを示す場合は前記処理後のディジタルコンテンツを出力しないように、前記抽出の結果に基づき前記処理後のディジタルコンテンツの出力を制御することを特徴とする情報処理方法。
【請求項３】
入力されるディジタルコンテンツに埋め込まれた情報を抽出する第一の抽出手段と、
前記第一の抽出手段の抽出結果に基づき前記ディジタルコンテンツの出力を制御し、前記抽出結果が埋め込まれた情報が抽出されなかったことを示す場合は前記ディジタルコンテンツを出力しない第一の制御手段と、
前記第一の制御手段の制御によって出力されるディジタルコンテンツを記憶する記憶手段と、
前記第一の制御手段の制御によって出力されるディジタルコンテンツを処理する処理手段と、
前記処理手段によって処理されたディジタルコンテンツに埋め込まれた情報を抽出する第二の抽出手段と、
前記第二の抽出手段の抽出結果が、埋め込まれた情報が抽出されたことを示す場合は前記処理手段が処理したディジタルコンテンツを出力し、埋め込まれた情報が抽出されなかったことを示す場合は前記記憶手段が記憶するディジタルコンテンツを出力するように、ディジタルコンテンツの出力を制御する第二の制御手段とを有することを特徴とする情報処理装置。
【請求項４】
入力されるディジタルコンテンツに埋め込まれた情報を抽出し、
前記抽出の結果が埋め込まれた情報が抽出されなかったことを示す場合は前記ディジタルコンテンツの処理およびメモリへの格納を行わないように、前記抽出の結果に基づき前記ディジタルコンテンツの処理および前記メモリへの格納を制御し、
前記処理後のディジタルコンテンツに埋め込まれた情報を抽出し、
前記処理後のディジタルコンテンツに対する抽出の結果が、埋め込まれた情報が抽出されたことを示す場合は前記処理後のディジタルコンテンツを出力し、埋め込まれた情報が抽出されなかったことを示す場合は前記メモリに格納したディジタルコンテンツを出力するように、ディジタルコンテンツの出力を制御することを特徴とする情報処理方法。
【請求項５】
入力されるディジタルコンテンツに埋め込まれた情報を抽出する第一の抽出手段と、
前記第一の抽出手段の抽出結果に基づき前記ディジタルコンテンツおよび抽出された情報の出力を制御し、前記抽出結果が埋め込まれた情報が抽出されなかったことを示す場合、前記ディジタルコンテンツを出力しない第一の制御手段と、
前記第一の制御手段の制御によって出力される前記抽出された情報を記憶する記憶手段と、
入力されるディジタルコンテンツに前記記憶手段が記憶する前記抽出された情報を埋め込む埋込手段と、
前記第一の制御手段の制御によって出力されるディジタルコンテンツを処理する処理手段と、
前記処理手段によって処理されたディジタルコンテンツに埋め込まれた情報を抽出する第二の抽出手段と、
前記第二の抽出手段の抽出結果が、埋め込まれた情報が抽出されたことを示す場合は前記処理手段による処理後のディジタルコンテンツを出力し、埋め込まれた情報が抽出されなかったことを示す場合は、前記処理後のディジタルコンテンツに前記埋込手段によって前記第一の抽出手段が抽出した情報を埋め込んだディジタルコンテンツを出力するように、ディジタルコンテンツの出力を制御する第二の制御手段とを有することを特徴とする情報処理装置。
【請求項６】
入力されるディジタルコンテンツに埋め込まれた情報を抽出する第一の抽出ステップと、
前記第一の抽出ステップの抽出結果が埋め込まれた情報が抽出されなかったことを示す場合は前記ディジタルコンテンツの処理を行わないように、前記抽出結果に基づき前記ディジタルコンテンツの処理、および、抽出された情報のメモリへの格納を制御する第一の制御ステップと、
前記処理されたディジタルコンテンツに埋め込まれた情報を抽出する第二の抽出ステップと、
前記第二の抽出ステップの抽出結果が、埋め込まれた情報が抽出されたことを示す場合は前記処理後のディジタルコンテンツを出力し、埋め込まれた情報が抽出されなかったことを示す場合は、前記処理後のディジタルコンテンツに前記メモリに格納した前記第一の抽出ステップで抽出した情報を埋め込んだディジタルコンテンツを出力するように、ディジタルコンテンの出力を制御する第二の制御ステップとを有することを特徴とする情報処理方法。
【請求項７】
暗号化されたディジタルコンテンツに埋め込まれた情報を抽出する第一の抽出手段と、
前記ディジタルコンテンツ、および、前記第一の抽出手段が抽出した情報を記憶する記憶手段と、
前記第一の抽出手段が抽出した情報に基づき、前記ディジタルコンテンツを復号する復号手段と、
前記復号手段によって復号されたディジタルコンテンツを処理する処理手段と、
前記処理手段によって処理されたディジタルコンテンツに埋め込まれた情報を抽出する第二の抽出手段と、
前記第二の抽出手段の抽出結果が、埋め込まれた情報が抽出されたことを示す場合は、前記第二の抽出手段が抽出した情報に基づき前記処理後のディジタルコンテンツを暗号化し、埋め込まれた情報が抽出されなかったことを示す場合は、前記記憶手段が記憶する第一の抽出手段が抽出した情報に基づき前記処理後のディジタルコンテンツを暗号化する暗号化手段とを有することを特徴とする情報処理装置。
【請求項８】
暗号化されたディジタルコンテンツに埋め込まれた情報を抽出する第一の抽出ステップと、
前記ディジタルコンテンツ、および、第一の抽出ステップで抽出した情報をメモリに格納する格納ステップと、
前記第一の抽出ステップで抽出した情報に基づき、前記ディジタルコンテンツを復号する復号ステップと、
前記第一の復号ステップで復号したディジタルコンテンツを処理する処理ステップと、
前記処理ステップで処理したディジタルコンテンツに埋め込まれた情報を抽出する第二の抽出ステップと、
前記第二の抽出ステップの抽出結果が、埋め込まれた情報が抽出されたことを示す場合は前記第二の抽出ステップで抽出した情報に基づき前記処理後のディジタルコンテンツを暗号化し、埋め込まれた情報が抽出されなかったことを示す場合は前記メモリに格納した前記第一の抽出ステップで抽出した情報に基づき前記処理後のディジタルコンテンツを暗号化する暗号化ステップとを有することを特徴とする情報処理方法。
【請求項９】
情報処理装置を制御して、請求項2、請求項4、請求項6、請求項8の何れかに記載された情報処理を実現するコンピュータプログラムが記録されたことを特徴とするコンピュータが読み取り可能な記録媒体。
【手続補正３】
【補正対象書類名】明細書
【補正対象項目名】０００１
【補正方法】変更
【補正の内容】
【０００１】
【発明の属する技術分野】
本発明は情報処理装置およびその方法に関し、例えば、ディジタルコンテンツを処理する情報処理に関する。
【手続補正４】
【補正対象書類名】明細書
【補正対象項目名】００１０
【補正方法】変更
【補正の内容】
【００１０】
本発明は、ディジタルコンテンツに埋め込まれた情報を正しく継承することを目的とする。
【手続補正５】
【補正対象書類名】明細書
【補正対象項目名】００１２
【補正方法】変更
【補正の内容】
【００１２】
本発明にかかる情報処理装置は、入力されるディジタルコンテンツに埋め込まれた情報を抽出する第一の抽出手段と、前記第一の抽出手段の抽出結果に基づき前記ディジタルコンテンツの出力を制御し、前記抽出結果が埋め込まれた情報が抽出されなかったことを示す場合は前記ディジタルコンテンツを出力しない第一の制御手段と、前記第一の制御手段の制御によって出力されるディジタルコンテンツを処理する処理手段と、前記処理手段によって処理されたディジタルコンテンツに埋め込まれた情報を抽出する第二の抽出手段と、前記第二の抽出手段の抽出結果に基づき前記処理手段によって処理されたディジタルコンテンツの出力を制御し、前記第二の抽出手段の抽出結果が埋め込まれた情報が抽出されなかったことを示す場合は前記処理後のディジタルコンテンツを出力しない第二の制御手段とを有することを特徴とする。
【手続補正６】
【補正対象書類名】明細書
【補正対象項目名】００１３
【補正方法】変更
【補正の内容】
【００１３】
また、入力されるディジタルコンテンツに埋め込まれた情報を抽出する第一の抽出手段と、前記第一の抽出手段の抽出結果に基づき前記ディジタルコンテンツの出力を制御し、前記抽出結果が埋め込まれた情報が抽出されなかったことを示す場合は前記ディジタルコンテンツを出力しない第一の制御手段と、前記第一の制御手段の制御によって出力されるディジタルコンテンツを記憶する記憶手段と、前記第一の制御手段の制御によって出力されるディジタルコンテンツを処理する処理手段と、前記処理手段によって処理されたディジタルコンテンツに埋め込まれた情報を抽出する第二の抽出手段と、前記第二の抽出手段の抽出結果が、埋め込まれた情報が抽出されたことを示す場合は前記処理手段が処理したディジタルコンテンツを出力し、埋め込まれた情報が抽出されなかったことを示す場合は前記記憶手段が記憶するディジタルコンテンツを出力するように、ディジタルコンテンツの出力を制御する第二の制御手段とを有することを特徴とする。
【手続補正７】
【補正対象書類名】明細書
【補正対象項目名】００１４
【補正方法】変更
【補正の内容】
【００１４】
また、入力されるディジタルコンテンツに埋め込まれた情報を抽出する第一の抽出手段と、前記第一の抽出手段の抽出結果に基づき前記ディジタルコンテンツおよび抽出された情報の出力を制御し、前記抽出結果が埋め込まれた情報が抽出されなかったことを示す場合、前記ディジタルコンテンツを出力しない第一の制御手段と、前記第一の制御手段の制御によって出力される前記抽出された情報を記憶する記憶手段と、入力されるディジタルコンテンツに前記記憶手段が記憶する前記抽出された情報を埋め込む埋込手段と、前記第一の制御手段の制御によって出力されるディジタルコンテンツを処理する処理手段と、前記処理手段によって処理されたディジタルコンテンツに埋め込まれた情報を抽出する第二の抽出手段と、前記第二の抽出手段の抽出結果が、埋め込まれた情報が抽出されたことを示す場合は前記処理手段による処理後のディジタルコンテンツを出力し、埋め込まれた情報が抽出されなかったことを示す場合は、前記処理後のディジタルコンテンツに前記埋込手段によって前記第一の抽出手段が抽出した情報を埋め込んだディジタルコンテンツを出力するように、ディジタルコンテンツの出力を制御する第二の制御手段とを有することを特徴とする。
【手続補正８】
【補正対象書類名】明細書
【補正対象項目名】００１５
【補正方法】変更
【補正の内容】
【００１５】
また、暗号化されたディジタルコンテンツに埋め込まれた情報を抽出する第一の抽出手段と、前記ディジタルコンテンツ、および、前記第一の抽出手段が抽出した情報を記憶する記憶手段と、前記第一の抽出手段が抽出した情報に基づき、前記ディジタルコンテンツを復号する復号手段と、前記復号手段によって復号されたディジタルコンテンツを処理する処理手段と、前記処理手段によって処理されたディジタルコンテンツに埋め込まれた情報を抽出する第二の抽出手段と、前記第二の抽出手段の抽出結果が、埋め込まれた情報が抽出されたことを示す場合は、前記第二の抽出手段が抽出した情報に基づき前記処理後のディジタルコンテンツを暗号化し、埋め込まれた情報が抽出されなかったことを示す場合は、前記記憶手段が記憶する第一の抽出手段が抽出した情報に基づき前記処理後のディジタルコンテンツを暗号化する暗号化手段とを有することを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
本発明にかかる情報処理方法は、入力されるディジタルコンテンツに埋め込まれた情報を抽出する第一の抽出ステップと、前記第一の抽出ステップの抽出結果が埋め込まれた情報が抽出されなかったことを示す場合は前記ディジタルコンテンツの処理を行わないように、前記抽出結果に基づき前記ディジタルコンテンツの処理、および、抽出された情報のメモリへの格納を制御する第一の制御ステップと、前記処理されたディジタルコンテンツに埋め込まれた情報を抽出する第二の抽出ステップと、前記第二の抽出ステップの抽出結果が、埋め込まれた情報が抽出されたことを示す場合は前記処理後のディジタルコンテンツを出力し、埋め込まれた情報が抽出されなかったことを示す場合は、前記処理後のディジタルコンテンツに前記メモリに格納した前記第一の抽出ステップで抽出した情報を埋め込んだディジタルコンテンツを出力するように、ディジタルコンテンの出力を制御する第二の制御ステップとを有することを特徴とする。
【手続補正１３】
【補正対象書類名】明細書
【補正対象項目名】００２０
【補正方法】変更
【補正の内容】
【００２０】
また、入力されるディジタルコンテンツに埋め込まれた情報を抽出し、前記抽出の結果が埋め込まれた情報が抽出されなかったことを示す場合は前記ディジタルコンテンツを処理しないように、前記抽出の結果に基づき前記ディジタルコンテンツの処理を制御し、前記処理されたディジタルコンテンツに埋め込まれた情報を抽出し、前記処理後のディジタルコンテンツに対する抽出の結果が埋め込まれた情報が抽出されなかったことを示す場合は前記処理後のディジタルコンテンツを出力しないように、前記抽出の結果に基づき前記処理後のディジタルコンテンツの出力を制御することを特徴とする。
【手続補正１４】
【補正対象書類名】明細書
【補正対象項目名】００２１
【補正方法】変更
【補正の内容】
【００２１】
また、入力されるディジタルコンテンツに埋め込まれた情報を抽出し、前記抽出の結果が埋め込まれた情報が抽出されなかったことを示す場合は前記ディジタルコンテンツの処理およびメモリへの格納を行わないように、前記抽出の結果に基づき前記ディジタルコンテンツの処理および前記メモリへの格納を制御し、前記処理後のディジタルコンテンツに埋め込まれた情報を抽出し、前記処理後のディジタルコンテンツに対する抽出の結果が、埋め込まれた情報が抽出されたことを示す場合は前記処理後のディジタルコンテンツを出力し、埋め込まれた情報が抽出されなかったことを示す場合は前記メモリに格納したディジタルコンテンツを出力するように、ディジタルコンテンツの出力を制御することを特徴とする。
【手続補正１５】
【補正対象書類名】明細書
【補正対象項目名】００２２
【補正方法】変更
【補正の内容】
【００２２】
また、暗号化されたディジタルコンテンツに埋め込まれた情報を抽出する第一の抽出ステップと、前記ディジタルコンテンツ、および、第一の抽出ステップで抽出した情報をメモリに格納する格納ステップと、前記第一の抽出ステップで抽出した情報に基づき、前記ディジタルコンテンツを復号する復号ステップと、前記第一の復号ステップで復号したディジタルコンテンツを処理する処理ステップと、前記処理ステップで処理したディジタルコンテンツに埋め込まれた情報を抽出する第二の抽出ステップと、前記第二の抽出ステップの抽出結果が、埋め込まれた情報が抽出されたことを示す場合は前記第二の抽出ステップで抽出した情報に基づき前記処理後のディジタルコンテンツを暗号化し、埋め込まれた情報が抽出されなかったことを示す場合は前記メモリに格納した前記第一の抽出ステップで抽出した情報に基づき前記処理後のディジタルコンテンツを暗号化する暗号化ステップとを有することを特徴とする。
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００９９
【補正方法】変更
【補正の内容】
【００９９】
【発明の効果】
以上に説明したように、本発明によれば、ディジタルコンテンツに埋め込まれた情報を正しく継承することができる。